(57)【要約】【課題】通信機器の無線接続を確立する際のユーザの負担を抑えつつ、不正な無線接続を抑制することができる通信システム及び無線接続制御方法を提供する。【解決手段】制御システム１００は、通信媒体２を介した人体通信を行い、通信媒体２が配された領域上に位置するユーザ５に所持される第２の通信機器２００から、当該第２の通信機器２００の識別情報を取得し、識別情報を第１の通信機器３００に送信し、人体通信を行い、第１の通信機器３００との無線接続を確立するための接続情報を第２の通信機器２００に送信し、第１の通信機器３００は、制御システム１００から、識別情報を受信し、第２の通信機器２００から、接続情報及び識別情報を含む無線接続要求を受け付け、接続情報記憶部に記憶された接続情報及び受信された識別情報を用いて、無線接続要求を認証し、認証に成功した場合、第２の通信機器２００との無線接続を確立する。【選択図】図２
2016100642.tif 000002
【特許請求の範囲】
【請求項１】
制御システムと第１の通信機器とを備える通信システムであって、
前記制御システムは、
人体通信用の通信媒体を介した人体通信を行い、前記通信媒体が配された領域上に位置するユーザに所持される第２の通信機器から、当該第２の通信機器を識別する識別情報を取得する識別情報取得部と、
前記識別情報を前記第１の通信機器に送信する識別情報送信部と、
前記人体通信を行い、前記第１の通信機器との無線接続を確立するための接続情報を前記第２の通信機器に送信する接続情報送信部と、を備え、
前記第１の通信機器は、
前記制御システムから、前記識別情報を受信する識別情報受信部と、
前記第２の通信機器から、前記接続情報及び前記識別情報を含む無線接続要求を受け付ける要求受付部と、
接続情報記憶部に記憶された接続情報及び前記受信された識別情報を用いて、前記無線接続要求を認証し、認証に成功した場合、前記第２の通信機器との無線接続を確立する接続制御部と、を備える通信システム。
【請求項２】
前記制御システムは、
前記識別情報取得部により取得された識別情報が識別情報記憶部に記憶されているか否かを判定する識別情報判定部を更に備え、
前記識別情報送信部は、前記識別情報記憶部に記憶されていないと判定された場合、前記識別情報を前記第１の通信機器に送信し、
前記接続情報送信部は、前記識別情報記憶部に記憶されていないと判定された場合、前記接続情報を前記第２の通信機器に送信する請求項１に記載の通信システム。
【請求項３】
前記識別情報判定部は、前記識別情報取得部により取得された識別情報が前記識別情報記憶部に記憶されていない場合、当該識別情報を前記識別情報記憶部に記憶する請求項２に記載の通信システム。
【請求項４】
前記識別情報判定部は、前記識別情報記憶部に記憶されている識別情報が前記識別情報取得部により取得されているか否かを更に判定し、
前記制御システムは、
前記識別情報取得部により取得されていないと判定された場合、前記識別情報記憶部に記憶されているとともに前記識別情報取得部により取得されていない識別情報を含む無線切断要求を前記第１の通信機器に送信する切断要求部を更に備え、
前記要求受付部は、前記制御システムから、前記無線切断要求を受け付け、
前記接続制御部は、前記無線切断要求に含まれる識別情報が示す第２の通信機器との無線接続を切断する請求項２又は３に記載の通信システム。
【請求項５】
前記識別情報判定部は、前記識別情報記憶部に記憶されている識別情報が前記識別情報取得部により取得されていない場合、前記識別情報記憶部に記憶されているとともに前記識別情報取得部により取得されていない識別情報を、前記識別情報記憶部から削除する請求項４に記載の通信システム。
【請求項６】
前記識別情報取得部は、前記人体通信を定期的に行い、前記第２の通信機器から前記識別情報を定期的に取得する請求項１〜５のいずれか１つに記載の通信システム。
【請求項７】
前記領域は、所定の空間の床である請求項１〜６のいずれか１つに記載の通信システム。
【請求項８】
前記制御システムは、
前記第２の通信機器を所持する前記ユーザの前記領域における位置を検知する検知部と、
前記第２の通信機器を所持する前記ユーザの前記領域における位置に基づいて、前記第２の通信機器に権限を付与するか否かを判定する権限判定部を更に備え、
前記識別情報送信部は、前記権限を付与する場合、前記識別情報取得部により取得された識別情報に対応付けて、当該所定の権限を示す権限情報を前記第１の通信機器に送信し、
前記識別情報受信部は、前記制御システムから、前記識別情報に対応付けられた前記権限情報を受信し、
前記要求受付部は、前記第２の通信機器から、前記識別情報とともに、所定の権限を必要とする機能の実行要求を更に受け付け、
前記第１の通信機器は、
前記実行要求に含まれる前記識別情報が前記所定の権限を示す権限情報に対応付けられている場合、前記所定の権限を必要とする機能を実行する機能実行部を更に備える請求項１〜７のいずれか１つに記載の通信システム。
【請求項９】
制御システムと第１の通信機器と第２の通信機器とを備える通信システムであって、
前記制御システムは、
人体通信用の通信媒体を介した人体通信を行い、前記通信媒体が配された領域上に位置するユーザに所持される第２の通信機器から、当該第２の通信機器を識別する識別情報を取得する識別情報取得部と、
前記識別情報を前記第１の通信機器に送信する識別情報送信部と、
前記人体通信を行い、前記第１の通信機器との無線接続を確立するための接続情報を前記第２の通信機器に送信する接続情報送信部と、を備え、
前記第２の通信機器は、
前記識別情報を前記制御システムに応答する応答部と、
前記制御システムから、前記接続情報を受信する接続情報受信部と、
前記接続情報及び前記識別情報を含む無線接続要求を前記第１の通信機器に送信する接続要求部と、を備え、
前記第１の通信機器は、
前記制御システムから、前記識別情報を受信する識別情報受信部と、
前記第２の通信機器から、前記無線接続要求を受け付ける要求受付部と、
接続情報記憶部に記憶された接続情報及び前記受信された識別情報を用いて、前記無線接続要求を認証し、認証に成功した場合、前記第２の通信機器との無線接続を確立する接続制御部と、を備える通信システム。
【請求項１０】
制御システムと第１の通信機器と第２の通信機器で実行されるプログラムとを備える通信システムであって、
前記制御システムは、
人体通信用の通信媒体を介した人体通信を行い、前記通信媒体が配された領域上に位置するユーザに所持される第２の通信機器から、当該第２の通信機器を識別する識別情報を取得する識別情報取得部と、
前記識別情報を前記第１の通信機器に送信する識別情報送信部と、
前記人体通信を行い、前記第１の通信機器との無線接続を確立するための接続情報を前記第２の通信機器に送信する接続情報送信部と、を備え、
前記プログラムは、
前記識別情報を前記制御システムに応答する応答部と、
前記制御システムから、前記接続情報を受信する接続情報受信部と、
前記接続情報及び前記識別情報を含む無線接続要求を前記第１の通信機器に送信する接続要求部として、前記第２の通信機器を機能させ、
前記第１の通信機器は、
前記制御システムから、前記識別情報を受信する識別情報受信部と、
前記第２の通信機器から、前記無線接続要求を受け付ける要求受付部と、
接続情報記憶部に記憶された接続情報及び前記受信された識別情報を用いて、前記無線接続要求を認証し、認証に成功した場合、前記第２の通信機器との無線接続を確立する接続制御部と、を備える通信システム。
【請求項１１】
第１の通信機器と第２の通信機器とを備える通信システムであって、
前記第２の通信機器は、
人体通信用の通信媒体が配された領域上に位置するユーザに所持され、
制御システムから前記通信媒体を介した人体通信が行われ、前記第２の通信機器を識別する識別情報が要求されると、当該識別情報を前記制御システムに応答する応答部と、
前記制御システムとの前記人体通信により、前記第１の通信機器との無線接続を確立するための接続情報を受信する接続情報受信部と、
前記接続情報及び前記識別情報を含む無線接続要求を前記第１の通信機器に送信する接続要求部と、を備え、
前記第１の通信機器は、
前記制御システムから、前記識別情報を受信する識別情報受信部と、
前記第２の通信機器から、前記無線接続要求を受け付ける要求受付部と、
接続情報記憶部に記憶された接続情報及び前記受信された識別情報を用いて、前記無線接続要求を認証し、認証に成功した場合、前記第２の通信機器との無線接続を確立する接続制御部と、を備える通信システム。
【請求項１２】
制御システムと第１の通信機器と第２の通信機器とを備える通信システムで実行される無線接続制御方法であって、
前記制御システムは、
人体通信用の通信媒体を介した人体通信を行い、前記通信媒体が配された領域上に位置するユーザに所持される第２の通信機器から、当該第２の通信機器を識別する識別情報を取得する識別情報取得ステップと、
前記識別情報を前記第１の通信機器に送信する識別情報送信ステップと、
前記人体通信を行い、前記第１の通信機器との無線接続を確立するための接続情報を前記第２の通信機器に送信する接続情報送信ステップと、を含み、
前記第２の通信機器は、
前記識別情報を前記制御システムに応答する応答ステップと、
前記制御システムから、前記接続情報を受信する接続情報受信ステップと、
前記接続情報及び前記識別情報を含む無線接続要求を前記第１の通信機器に送信する接続要求ステップと、を含み、
前記第１の通信機器は、
前記制御システムから、前記識別情報を受信する識別情報受信ステップと、
前記第２の通信機器から、前記無線接続要求を受け付ける要求受付ステップと、
接続情報記憶部に記憶された接続情報及び前記受信された識別情報を用いて、前記無線接続要求を認証し、認証に成功した場合、前記第２の通信機器との無線接続を確立する接続制御ステップと、を含む無線接続制御方法。
【発明の詳細な説明】
【技術分野】
【０００１】
本発明は、通信システム及び無線接続制御方法に関する。
【背景技術】
【０００２】
特許文献１には、無線接続させる通信機器同士をユーザが同時にタッチして人体通信を行うことで、当該通信機器同士の無線接続を確立する技術が開示されている。特許文献１に開示された技術では、通信機器同士の無線接続を確立するために、当該通信機器同士をユーザが同時にタッチしなければならない。
【０００３】
このため、特許文献１に開示された技術を、ユーザが所持する通信機器と会議室などの所定の空間内に配置された通信機器との無線接続を確立する場合に適用すると、ユーザは、所定の空間内に入らなければ無線接続を確立できず、第３者による所定の空間外からの不正な無線接続を抑制できる。
【発明の概要】
【発明が解決しようとする課題】
【０００４】
しかしながら、上述の場合、ユーザは、無線接続させる通信機器同士をタッチしなければならないため、ユーザに手間がかり、ユーザの負担となる。特に、所定の空間内の配置の制約上、ユーザがタッチすることが困難な位置に通信機器が配置されている場合、ユーザの負担が大きくなる。
【０００５】
本発明は、上記事情に鑑みてなされたものであり、通信機器の無線接続を確立する際のユーザの負担を抑えつつ、不正な無線接続を抑制することができる通信システム及び無線接続制御方法を提供することを目的とする。
【課題を解決するための手段】
【０００６】
上述した課題を解決し、目的を達成するために、本発明の一態様にかかる通信システムは、制御システムと第１の通信機器とを備える通信システムであって、前記制御システムは、人体通信用の通信媒体を介した人体通信を行い、前記通信媒体が配された領域上に位置するユーザに所持される第２の通信機器から、当該第２の通信機器を識別する識別情報を取得する識別情報取得部と、前記識別情報を前記第１の通信機器に送信する識別情報送信部と、前記人体通信を行い、前記第１の通信機器との無線接続を確立するための接続情報を前記第２の通信機器に送信する接続情報送信部と、を備え、前記第１の通信機器は、前記制御システムから、前記識別情報を受信する識別情報受信部と、前記第２の通信機器から、前記接続情報及び前記識別情報を含む無線接続要求を受け付ける要求受付部と、接続情報記憶部に記憶された接続情報及び前記受信された識別情報を用いて、前記無線接続要求を認証し、認証に成功した場合、前記第２の通信機器との無線接続を確立する接続制御部と、を備える。
【発明の効果】
【０００７】
本発明によれば、通信機器の無線接続を確立する際のユーザの負担を抑えつつ、不正な無線接続を抑制することができるという効果を奏する。
【図面の簡単な説明】
【０００８】
【図１】図１は、本実施形態の通信システムの構成の一例を示す模式図である。
【図２】図２は、本実施形態の通信システムの構成の一例を示す模式図である。
【図３】図３は、本実施形態の制御システムのハードウェア構成の一例を示すブロック図である。
【図４】図４は、本実施形態の制御システムの機能構成の一例を示すブロック図である。
【図５】図５は、本実施形態の第２の通信機器のハードウェア構成の一例を示すブロック図である。
【図６】図６は、本実施形態の第２の通信機器の機能構成の一例を示すブロック図である。
【図７】図７は、本実施形態の第１の通信機器のハードウェア構成の一例を示すブロック図である。
【図８】図８は、本実施形態の第１の通信機器の機能構成の一例を示すブロック図である。
【図９】図９は、本実施形態の第３の通信機器のハードウェア構成の一例を示すブロック図である。
【図１０】図１０は、本実施形態の第３の通信機器の機能構成の一例を示すブロック図である。
【図１１】図１１は、本実施形態の通信システムで実行される識別情報取得処理の一例を示すシーケンス図である。
【図１２】図１２は、本実施形態の通信システムで実行される無線接続確立処理の一例を示すシーケンス図である。
【図１３】図１３は、本実施形態の通信システムで実行される無線接続切断処理の一例を示すシーケンス図である。
【図１４】図１４は、変形例１の制御システムの機能構成の一例を示すブロック図である。
【図１５】図１５は、変形例１の第２の通信機器の機能構成の一例を示すブロック図である。
【図１６】図１６は、変形例１の第３の通信機器の機能構成の一例を示すブロック図である。
【発明を実施するための形態】
【０００９】
以下、添付図面を参照しながら、本発明にかかる通信システム及び無線接続制御方法の実施形態を詳細に説明する。
【００１０】
図１及び図２は、本実施形態の通信システム１の構成の一例を示す模式図である。図１及び図２に示すように、通信システム１は、制御システム１００と、通信媒体２と、第２の通信機器２００と、第１の通信機器３００と、第３の通信機器４００−１〜４００−３と、を備える。
【００１１】
以下では、所定の空間の床一面に通信媒体２が配されており、少なくとも第３の通信機器４００−１〜４００−３が所定の空間内に配置されている場合を例に取り説明する。なお、本実施形態の「所定の空間の床」は、「通信媒体が配された領域」の一例である。所定の空間は、範囲を仕切ることが可能な空間であればよく、例えば、会議室や執務室などの各種部屋やイベント会場などの各種施設などが挙げられる。但し、通信媒体２は、所定の空間の床一面に配されている必要はなく、当該床の一部に配されていてもよい。
【００１２】
なお、図１は、第２の通信機器２００を所持するユーザ５が所定の空間内におらず（詳細には、第２の通信機器２００を所持するユーザ５が通信媒体２上に位置しておらず）、第２の通信機器２００が第１の通信機器３００及び第３の通信機器４００−１〜４００−３と無線接続されていない状態を示している。
【００１３】
また、図２は、第２の通信機器２００を所持するユーザ５が所定の空間内におり（詳細には、第２の通信機器２００を所持するユーザ５が通信媒体２上に位置しており）、第２の通信機器２００が第１の通信機器３００及び第３の通信機器４００−１〜４００−３と無線接続されている状態を示している。
【００１４】
なお、無線接続としては、例えば、無線ＬＡＮ（Local  Area  Network）による無線接続や、Ｂｌｕｅｔｏｏｔｈ（登録商標）やＺｉｇＢｅｅ（登録商標）などの近距離無線通信による無線接続などが挙げられる。
【００１５】
通信媒体２は、人体通信用の通信媒体であり、例えば、床マット型の電極などが挙げられる。本実施形態では、通信媒体２の電源は、通信媒体２自身が備えているものとするが、制御システム１００などの外部装置が通信媒体２に電源を供給するようにしてもよい。通信媒体２には、電流が流れており、人間が通信媒体２上に位置すると当該人間の人体近傍に電界が発生するため、この電界を変調することで、人体通信が行われる。なお、人体通信に用いるプロトコルについては、独自仕様のプロトコルであっても規格化されたプロトコルであってもよい。例えば、物理層には独自仕様のプロトコルを用い、ネットワーク層にはＴＣＰ（Transmission  Control  Protocol）／ＩＰ（Internet  Protocol）を用いるなどとしてもよい。
【００１６】
制御システム１００は、通信媒体２を介した人体通信を制御するシステムであり、１台以上のコンピュータにより実現できる。本実施形態では、制御システム１００は、ケーブルなどを介して通信媒体２及び第１の通信機器３００と物理的に接続されている場合を例に取り説明するが、これに限定されるものではない。例えば、制御システム１００は、第１の通信機器３００と無線で接続されていてもよい。
【００１７】
第１の通信機器３００は、無線接続を行うための中継器であり、例えば、アクセスポイントなどが挙げられる。
【００１８】
第３の通信機器４００−１〜４００−３は、所定の空間内に配置され、第１の通信機器３００と無線接続されている通信機器であり、例えば、印刷装置、複写機、複合機、スキャナ装置、ファクシミリ装置、プロジェクタ、電子会議装置、電子黒板、エアコン、冷蔵庫、蛍光灯、自販機、カメラ、サーバ装置、ＰＣ（Personal  Computer）等の各種オフィス機器が挙げられる。
【００１９】
なお、以下の説明では、第３の通信機器４００−１〜４００−３を各々区別する必要がない場合は、単に第３の通信機器４００と称する場合がある。また本実施形態では、第３の通信機器４００が３台の場合を例に取り説明するが、第３の通信機器４００の台数はこれに限定されず、１台であっても、２台であっても、４台以上であってもよい。
【００２０】
第２の通信機器２００は、ユーザ５が所持する無線通信可能な通信機器であり、例えば、スマートフォン、タブレット端末、及びノートＰＣなどが挙げられる。第２の通信機器２００は、図２に示すように、第１の通信機器３００と無線接続されることで、第３の通信機器４００−１〜４００−３と無線通信でき、第３の通信機器４００−１〜４００−３を無線で使用できる。本実施形態では、第２の通信機器２００が１台の場合を例に取り説明するが、第２の通信機器２００の台数はこれに限定されず、２台以上であってもよい。
【００２１】
以下、第２の通信機器２００を第１の通信機器３００と無線接続させる手法、即ち、図１に示す状態から図２に示す状態とするための手法について説明する。
【００２２】
なお本実施形態では、インフラストラクチャーモードでの無線通信（第１の通信機器３００を介した無線通信）を想定した無線接続を例に取り説明するが、これに限定されず、アドホックモードでの無線通信（第１の通信機器３００を介さない無線通信）を想定した無線接続についても適用できる。この場合、以下で説明する第１の通信機器３００の機能を第３の通信機器４００が備え、第３の通信機器４００が、制御システム１００と接続されていればよい。
【００２３】
図３は、本実施形態の制御システム１００のハードウェア構成の一例を示すブロック図である。制御システム１００は、ＣＰＵ（Central  Processing  Unit）などの制御装置１０１と、ＲＯＭ（Read  Only  Memory）やＲＡＭ（Random  Access  Memory）などの記憶装置１０３と、ＨＤＤ（Hard  Disk  Drive）やＳＳＤ（Solid  State  Drive）などの外部記憶装置１０５と、ディスプレイなどの表示装置１０７と、マウスやキーボードなどの入力装置１０９と、人体通信用の通信インタフェースである第１の通信装置１１１と、第１の通信機器３００との通信用の通信インタフェースである第２の通信装置１１３と、を備えており、通常のコンピュータを利用したハードウェア構成となっている。
【００２４】
図４は、本実施形態の制御システム１００の機能構成の一例を示すブロック図である。図４に示すように、制御システム１００は、確認部１５１と、識別情報取得部１５３と、識別情報判定部１５５と、識別情報記憶部１５７と、識別情報送信部１５９と、接続情報記憶部１６１と、接続情報送信部１６３と、切断要求部１６５とを、含む。
【００２５】
確認部１５１、識別情報取得部１５３、及び接続情報送信部１６３は、例えば、制御装置１０１、記憶装置１０３、及び第１の通信装置１１１により実現でき、識別情報記憶部１５７及び接続情報記憶部１６１は、例えば、記憶装置１０３及び外部記憶装置１０５の少なくともいずれかにより実現でき、識別情報判定部１５５は、例えば、制御装置１０１及び記憶装置１０３により実現でき、識別情報送信部１５９及び切断要求部１６５は、例えば、制御装置１０１、記憶装置１０３、及び第２の通信装置１１３により実現できる。
【００２６】
確認部１５１は、通信媒体２を介した人体通信を定期的に行い、通信媒体２が配された床上に位置するユーザに所持される第２の通信機器の有無を確認する。本実施形態では、確認部１５１は、通信媒体２を介した人体通信を定期的に行い、通信媒体２が配された床上に位置するユーザ５に所持される第２の通信機器２００の有無を確認する。
【００２７】
具体的には、確認部１５１は、応答を要求するコマンドを通信媒体２に送信する。ここで、図１に示すように、通信媒体２上にユーザ５が位置しない場合、ユーザ５の人体を利用した人体通信は行われないため、確認部１５１が送信したコマンドは、第２の通信機器２００に届かず、応答は帰ってこない。また、通信媒体２上にユーザ５が位置する場合、ユーザ５の人体を利用した人体通信は行われるが、ユーザ５が第２の通信機器２００を所持していなければ、確認部１５１が送信したコマンドは、第２の通信機器２００に届かず、応答は帰ってこない。このように応答が帰ってこない場合、確認部１５１は、通信媒体２が配された床上に位置するユーザ５に所持される第２の通信機器２００が無いことを確認する。
【００２８】
一方、図１に示す状態において、第２の通信機器２００を所持するユーザ５が通信媒体２上に位置する場合、ユーザ５の人体を利用した人体通信が行われ、確認部１５１が送信したコマンドが、第２の通信機器２００に届くため、応答が帰ってくる。このように応答が帰ってくる場合、確認部１５１は、通信媒体２が配された床上に位置するユーザ５に所持される第２の通信機器２００が有ることを確認する。
【００２９】
識別情報取得部１５３は、通信媒体２を介した人体通信を行い、通信媒体２が配された床上に位置するユーザに所持される第２の通信機器から、当該第２の通信機器を識別する識別情報を取得する。識別情報は、第２の通信機器を識別できる情報であればよく、例えば、ＭＡＣ（Media  Access  Control）アドレスなどが挙げられる。本実施形態では、識別情報取得部１５３は、通信媒体２を介した人体通信を行い、通信媒体２が配された床上に位置するユーザ５に所持される第２の通信機器２００から、当該第２の通信機器２００を識別する識別情報を取得する。
【００３０】
具体的には、識別情報取得部１５３は、確認部１５１により通信媒体２が配された床上に位置するユーザ５に所持される第２の通信機器２００が有ることが確認されると、当該第２の通信機器２００から、当該第２の通信機器２００の識別情報を取得する。つまり、識別情報取得部１５３は、通信媒体２が配された床上に第２の通信機器２００を所持するユーザ５が位置する間、当該第２の通信機器２００から、当該第２の通信機器２００の識別情報を定期的に取得する。
【００３１】
識別情報判定部１５５は、識別情報取得部１５３により取得された識別情報が識別情報記憶部１５７に記憶されているか否かを判定し、記憶されていない場合、当該識別情報を識別情報記憶部１５７に記憶する。
【００３２】
なお、識別情報判定部１５５は、識別情報取得部１５３により識別情報が取得された場合に、この判定（取得された識別情報が識別情報記憶部１５７に記憶されているか否かの判定）を行えばよい。
【００３３】
また識別情報判定部１５５は、識別情報記憶部１５７に記憶されている識別情報が識別情報取得部１５３により取得されているか否かを更に判定し、取得されていない場合、識別情報記憶部１５７に記憶されているとともに識別情報取得部１５３により取得されていない識別情報を、識別情報記憶部１５７から削除する。
【００３４】
なお、識別情報判定部１５５は、識別情報記憶部１５７に識別情報が記憶されている間、この判定（識別情報記憶部１５７に記憶されている識別情報が識別情報取得部１５３により取得されているか否かの判定）を行えばよく、判定のタイミング（間隔）は、確認部１５１による確認の間隔に合わせればよい。
【００３５】
つまり、識別情報記憶部１５５には、識別情報取得部１５３により識別情報の取得が開始されてから識別情報取得部１５３による当該識別情報の取得が終了されるまでの間、当該識別情報が記憶される。
【００３６】
識別情報送信部１５９は、識別情報取得部１５３により取得された識別情報を第１の通信機器３００に送信する。具体的には、識別情報送信部１５９は、識別情報取得部１５３により取得された識別情報が識別情報記憶部１５７に記憶されていないと識別情報判定部１５５に判定された場合、当該識別情報を第１の通信機器３００に送信する。
【００３７】
接続情報記憶部１６１は、第１の通信機器３００との無線接続を確立するための接続情報を記憶する。接続情報は、例えば、ＳＳＩＤ（Service  Set  IDentifier）及びパスワードなどが挙げられる。
【００３８】
接続情報送信部１６３は、通信媒体２を介した人体通信を行い、接続情報記憶部１６１に記憶された接続情報を第２の通信機器２００に送信する。具体的には、接続情報送信部１６３は、識別情報取得部１５３により取得された識別情報が識別情報記憶部１５７に記憶されていないと識別情報判定部１５５に判定された場合、接続情報記憶部１６１から接続情報を取得し、通信媒体２を介した人体通信を行い、通信媒体２が配された床上に位置するユーザ５に所持される第２の通信機器２００に取得した接続情報を送信する。
【００３９】
切断要求部１６５は、識別情報記憶部１５７に記憶されている識別情報が識別情報取得部１５３により取得されていないと識別情報判定部１５５に判定された場合、当該識別情報を含む無線切断要求を第１の通信機器３００に送信する。
【００４０】
図５は、本実施形態の第２の通信機器２００のハードウェア構成の一例を示すブロック図である。第２の通信機器２００は、ＣＰＵなどの制御装置２０１と、ＲＯＭやＲＡＭなどの記憶装置２０３と、ＨＤＤやＳＳＤなどの外部記憶装置２０５と、ディスプレイなどの表示装置２０７と、タッチパネルなどの入力装置２０９と、人体通信用の通信インタフェースである第１の通信装置２１１と、第１の通信機器３００との無線通信用の通信インタフェースである第３の通信装置２１３と、を備えており、通常のコンピュータを利用したハードウェア構成となっている。
【００４１】
図６は、本実施形態の第２の通信機器２００の機能構成の一例を示すブロック図である。図６に示すように、第２の通信機器２００は、識別情報記憶部２５１と、応答部２５３と、接続情報受信部２５５と、接続要求部２５７とを、含む。
【００４２】
識別情報記憶部２５１は、例えば、記憶装置２０３及び外部記憶装置２０５の少なくともいずれかにより実現でき、応答部２５３、及び接続情報受信部２５５は、例えば、制御装置２０１、記憶装置２０３、及び第１の通信装置２１１により実現でき、接続要求部２５７は、例えば、制御装置２０１、記憶装置２０３、及び第３の通信装置２１３により実現できる。
【００４３】
識別情報記憶部２５１は、第２の通信機器２００の識別情報を記憶する。
【００４４】
応答部２５３は、制御システム１００に対する応答を行う。具体的には、応答部２５３は、制御システム１００から応答を要求するコマンドが送信されると、通信媒体２を介した人体通信を行い、制御システム１００に所定の応答コマンドを送信する。また、応答部２５３は、制御システム１００から識別情報の取得が要求されると、識別情報記憶部２５１から識別情報を取得し、通信媒体２を介した人体通信を行って、取得した識別情報を制御システム１００に応答する。
【００４５】
接続情報受信部２５５は、制御システム１００から、第１の通信機器３００の接続情報を受信する。
【００４６】
接続要求部２５７は、接続情報受信部２５５により受信された接続情報及び識別情報記憶部２５１に記憶された識別情報を含む無線接続要求を第１の通信機器３００に送信する。
【００４７】
図７は、本実施形態の第１の通信機器３００のハードウェア構成の一例を示すブロック図である。第１の通信機器３００は、ＣＰＵなどの制御装置３０１と、ＲＯＭやＲＡＭなどの記憶装置３０３と、ＨＤＤやＳＳＤなどの外部記憶装置３０５と、ディスプレイなどの表示装置３０７と、タッチパネルなどの入力装置３０９と、制御システム１００との通信用の通信インタフェースである第２の通信装置３１１と、第２の通信機器２００や第３の通信機器４００との無線通信用の通信インタフェースである第３の通信装置３１３と、を備えており、通常のコンピュータを利用したハードウェア構成となっている。
【００４８】
図８は、本実施形態の第１の通信機器３００の機能構成の一例を示すブロック図である。図８に示すように、第１の通信機器３００は、識別情報受信部３５１と、識別情報記憶部３５３と、要求受付部３５５と、接続情報記憶部３５７と、接続制御部３５９とを、含む。
【００４９】
識別情報受信部３５１は、例えば、制御装置３０１、記憶装置３０３、及び第２の通信装置３１１により実現でき、識別情報記憶部３５３、及び接続情報記憶部３５７は、例えば、記憶装置３０３及び外部記憶装置３０５の少なくともいずれかにより実現でき、要求受付部３５５、及び接続制御部３５９は、例えば、制御装置３０１、記憶装置３０３、及び第３の通信装置３１３により実現できる。
【００５０】
識別情報受信部３５１は、制御システム１００から、第２の通信機器２００の識別情報を受信し、識別情報記憶部３５３に記憶する。
【００５１】
要求受付部３５５は、第２の通信機器２００から、無線接続要求を受け付ける。また、要求受付部３５５は、制御システム１００から、無線切断要求を受け付ける。
【００５２】
接続情報記憶部３５７は、第１の通信機器３００の接続情報を記憶する。
【００５３】
接続制御部３５９は、要求受付部３５５により無線接続要求が受信されると、接続情報記憶部３５７に記憶された接続情報及び識別情報記憶部３５３に記憶された識別情報（識別情報受信部３５１により受信された識別情報）を用いて、当該無線接続要求を認証し、認証に成功した場合、第２の通信機器２００との無線接続を確立する。
【００５４】
具体的には、接続制御部３５９は、無線接続要求に含まれる接続情報、識別情報が、それぞれ、接続情報記憶部３５７に記憶された接続情報、識別情報記憶部３５３に記憶された識別情報と一致するか否かを確認し、一致すれば認証成功と判断する。
【００５５】
なお、接続制御部３５９は、認証失敗と判断した場合、第２の通信機器２００との無線接続を確立しない。
【００５６】
また接続制御部３５９は、要求受付部３５５により無線切断要求が受信されると、当該無線切断要求に含まれる識別情報が示す第２の通信機器２００との無線接続を切断する。
【００５７】
図９は、本実施形態の第３の通信機器４００のハードウェア構成の一例を示すブロック図である。第３の通信機器４００は、ＣＰＵなどの制御装置４０１と、ＲＯＭやＲＡＭなどの記憶装置４０３と、ＨＤＤやＳＳＤなどの外部記憶装置４０５と、ディスプレイなどの表示装置４０７と、タッチパネルなどの入力装置４０９と、第１の通信機器３００との無線通信用の通信インタフェースである第３の通信装置４１１と、を備えており、通常のコンピュータを利用したハードウェア構成となっている。
【００５８】
図１０は、本実施形態の第３の通信機器４００の機能構成の一例を示すブロック図である。図１０に示すように、第３の通信機器４００は、接続情報記憶部４５１と、接続要求部４５３とを、含む。
【００５９】
接続情報記憶部４５１は、例えば、記憶装置４０３及び外部記憶装置４０５の少なくともいずれかにより実現でき、接続要求部４５３は、例えば、制御装置４０１、記憶装置４０３、及び第３の通信装置４１１により実現できる。
【００６０】
接続情報記憶部４５１は、第１の通信機器３００の接続情報を記憶する。
【００６１】
接続要求部４５３は、接続情報記憶部４５１に記憶された接続情報を含む無線接続要求を第１の通信機器３００に送信する。この場合、第１の通信機器３００の接続制御部３５９は、無線接続要求に含まれる接続情報が、接続情報記憶部３５７に記憶された接続情報と一致するか否かを確認し、一致すれば認証成功と判断し、第３の通信機器４００との無線接続を確立する。なお、第２の通信機器２００同様、無線接続要求に第３の通信機器４００を識別する識別情報を含めるようにしてもよい。
【００６２】
図１１は、本実施形態の通信システム１で実行される識別情報取得処理の一例を示すシーケンス図である。なお、図１１に示す処理は、定期的に行われる。
【００６３】
まず、制御システム１００の確認部１５１は、通信媒体２を介した人体通信を行い、応答を要求するコマンドを送信する（ステップＳ１０１）。
【００６４】
ここで、通信媒体２が配された床上に第２の通信機器２００を所持するユーザ５が位置する場合、第２の通信機器２００の応答部２５３は、当該コマンドを受信するので、通信媒体２を介した人体通信を行い、制御システム１００に所定の応答コマンドを送信する（ステップＳ１０３）。
【００６５】
確認部１５１は、第２の通信機器２００から所定の応答コマンドを受信することで、通信媒体２が配された床上に位置するユーザ５に所持される第２の通信機器２００が有ることを確認する。
【００６６】
続いて、制御システム１００の識別情報取得部１５３は、通信媒体２を介した人体通信を行い、識別情報の取得を要求するコマンドを送信する（ステップＳ１０５）。
【００６７】
続いて、第２の通信機器２００の応答部２５３は、当該コマンドを受信するので、識別情報記憶部２５１から識別情報を取得し、通信媒体２を介した人体通信を行って、取得した識別情報を制御システム１００に応答する（ステップＳ１０７）。
【００６８】
続いて、制御システム１００の識別情報判定部１５５は、識別情報取得部１５３により取得された識別情報が識別情報記憶部１５７に記憶されているか否かを判定するとともに、識別情報記憶部１５７に記憶されている識別情報が識別情報取得部１５３により取得されているか否かを判定する（ステップＳ１０９）。
【００６９】
図１２は、本実施形態の通信システム１で実行される無線接続確立処理の一例を示すシーケンス図であり、図１１に示すシーケンス図のステップＳ１０９において、識別情報取得部１５３により取得された識別情報が識別情報記憶部１５７に記憶されていないと判定された場合に行われる。
【００７０】
まず、制御システム１００の識別情報送信部１５９は、識別情報取得部１５３により取得された識別情報を第１の通信機器３００に送信し、第１の通信機器３００の識別情報受信部３５１は、当該識別情報を受信する（ステップＳ２０１）。
【００７１】
続いて、制御システム１００の接続情報送信部１６３は、接続情報記憶部１６１から接続情報を取得し、通信媒体２を介した人体通信を行い、取得した接続情報を第２の通信機器２００に送信し、第２の通信機器２００の接続情報受信部２５５は、当該接続情報を受信する（ステップＳ２０３）。
【００７２】
続いて、第２の通信機器２００の接続要求部２５９は、接続情報受信部２５５により受信された接続情報及び識別情報記憶部２５１に記憶された識別情報を含む無線接続要求を第１の通信機器３００に送信し、第１の通信機器３００の要求受付部３５５は、当該無線接続要求を受け付ける（ステップＳ２０５）。
【００７３】
続いて、第１の通信機器３００の接続制御部３５９は、要求受付部３５５により無線接続要求が受信されると、接続情報記憶部３５７に記憶された接続情報及び識別情報記憶部３５３に記憶された識別情報（識別情報受信部３５１により受信された識別情報）を用いて、当該無線接続要求を認証し、認証に成功した場合、第２の通信機器２００との無線接続を確立し（ステップＳ２０７）、第２の通信機器２００に無線接続を許可する（ステップＳ２０９）。
【００７４】
図１３は、本実施形態の通信システム１で実行される無線接続切断処理の一例を示すシーケンス図であり、図１１に示すシーケンス図のステップＳ１０９において、識別情報記憶部１５７に記憶されている識別情報が識別情報取得部１５３により取得されていないと判定された場合に行われる。
【００７５】
まず、制御システム１００の切断要求部１６５は、識別情報記憶部１５７に記憶されているとともに識別情報取得部１５３により取得されていない識別情報を含む無線切断要求を第１の通信機器３００に送信し、第１の通信機器３００の要求受付部３５５は、当該無線切断要求を受け付ける（ステップＳ３０１）。
【００７６】
続いて、接続制御部３５９は、要求受付部３５５により無線切断要求が受信されると、当該無線切断要求に含まれる識別情報が示す第２の通信機器２００との無線接続を切断する（ステップＳ３０３）。
【００７７】
以上のように本実施形態によれば、第２の通信機器を所持するユーザが、通信媒体が配された領域上に位置すれば、第２の通信機器の無線接続が確立されるので、通信機器の無線接続を確立する際のユーザの負担を抑えることができる。また本実施形態によれば、通信媒体が配された領域上に位置しなければ無線接続を確立できず、第３者による領域外からの不正な無線接続を抑制できる。
【００７８】
また本実施形態によれば、第２の通信機器を所持するユーザが、通信媒体が配された領域上に位置しなくなれば、第２の通信機器の無線接続が切断されるので、当該ユーザが当該領域に一度入った後に領域外から不正な無線接続をすることも防止できるので、不正な無線接続を抑制できる。
【００７９】
（変形例１）
上記実施形態において、ユーザ５の位置に応じて所定の権限を第２の通信機器に付与するようにしてもよい。以下では、上記実施形態との相違点の説明を主に行い、上記実施形態と同様の機能を有する構成要素については、上記実施形態と同様の名称・符号を付し、その説明を省略する。
【００８０】
なお変形例１では、インフラストラクチャーモードでの無線通信を想定した無線接続ではなく、アドホックモードでの無線通信を想定した無線接続を例に取り説明する。このため、変形例では、第３の通信機器が第１の通信機器の機能を備え、第３の通信機器が、制御システムと接続されているものとする。なお、この場合、第３の通信機器は、無線接続を要求する側ではなく、無線接続の要求を受け付ける側となるので、上記実施形態で説明した無線接続を要求する機能を備える必要はない。
【００８１】
また変形例１では、通信媒体２は圧力センサなど人間を検知可能なセンサを更に備えているものとする。
【００８２】
図１４は、変形例１の制御システム１１００の機能構成の一例を示すブロック図である。図１４に示すように、制御システム１１００は、検知部１１６７、権限判定情報記憶部１１６９、及び権限判定部１１７１を備える点、並びに識別情報送信部１１５９が、上記実施形態と相違する。
【００８３】
検知部１１６７及び権限判定部１１７１は、例えば、制御装置１０１及び記憶装置１０３により実現でき、権限判定情報記憶部１１６９は、例えば、記憶装置１０３及び外部記憶装置１０５の少なくともいずれかにより実現できる。
【００８４】
検知部１１６７は、第２の通信機器１２００を所持するユーザ５の通信媒体２が配された床上における位置を検知する。具体的には、検知部１１６７は、確認部１５１により通信媒体２が配された床上に位置するユーザ５に所持される第２の通信機器１２００が有ることが確認されると、当該ユーザ５の床上における位置を検知する。変形例１では、前述のように、通信媒体２が圧力センサなど人間を検知可能なセンサを備えているため、このセンサ値からユーザ５の床上における位置を検知できる。
【００８５】
権限判定情報記憶部１１６９は、床上の位置に対し、どのような権限を付与するかを示す情報を記憶する。例えば、所定の空間の奥側の位置の場合、プロジェクタによる画像投影権限を付与するなどが挙げられる。これは、所定の空間の奥側の位置には、プレゼンテーションなどを行う人間が位置すると考えられるためである。
【００８６】
権限判定部１１７１は、検知部１１６７により検知された第２の通信機器１２００を所持するユーザ５の床上における位置に基づいて、第２の通信機器１２００に権限を付与するか否かを判定する。
【００８７】
具体的には、権限判定部１１７１は、権限判定情報記憶部１１６９を参照し、検知部１１６７により検知された第２の通信機器１２００を所持するユーザ５の床上における位置に対応付けられた権限があるか否かを判定し、対応付けられた権限があれば、当該権限を第２の通信機器１２００に付与すると判定する。
【００８８】
識別情報送信部１１５９は、第２の通信機器１２００に権限を付与する場合、識別情報取得部１５３により取得された識別情報に対応付けて、当該権限を示す権限情報を第１の通信機器１３００に送信する。
【００８９】
図１５は、変形例１の第２の通信機器１２００の機能構成の一例を示すブロック図である。図１５に示すように、第２の通信機器１２００は、機能要求部１２５９を備える点で、上記実施形態と相違する。
【００９０】
機能要求部１２５９は、例えば、制御装置２０１、記憶装置２０３、及び第３の通信装置２１３により実現できる。
【００９１】
機能要求部１２５９は、第３の通信機器１４００との無線接続が確立されると、当該第３の通信機器１４００に対して機能の実行を要求する。特に変形例１では、機能要求部１２５９は、第２の通信機器１２００の識別情報とともに、所定の権限を必要とする機能の実行要求を、第３の通信機器１４００に送信する。
【００９２】
図１６は、変形例１の第３の通信機器１４００の機能構成の一例を示すブロック図である。図１６に示すように、第３の通信機器１４００は、識別情報受信部１３５１と、識別情報記憶部１３５３と、要求受付部１３５５と、接続情報記憶部３５７と、接続制御部３５９と、機能実行部１４６１とを、含む。
【００９３】
なお、接続情報記憶部３５７、及び接続制御部３５９は、上記実施形態と同様であり、識別情報受信部１３５１、識別情報記憶部１３５３、及び要求受付部１３５５は、上記実施形態と一部差異があるため、差異点について説明する。
【００９４】
識別情報受信部１３５１は、制御システム１１００から、識別情報に対応付けられた権限情報を受信し、識別情報及び権限情報を対応付けて識別情報記憶部１３５３に記憶する。
【００９５】
要求受付部１３５５は、第２の通信機器１２００から機能の実行要求を受け付ける。
【００９６】
機能実行部１４６１は、要求受付部１３５５により受け付けられた実行要求に含まれる識別情報が所定の権限を示す権限情報に対応付けられている場合、当該所定の権限を必要とする機能を実行する。具体的には、機能実行部１４６１は、要求受付部１３５５により受け付けられた実行要求に含まれる識別情報が、識別情報記憶部１３５３において、実行要求で要求される所定の権限を示す権限情報に対応付けられているか否かを判定し、対応付けられている場合、当該所定の権限を必要とする機能を実行する。
【００９７】
例えば、第３の通信機器１４００がプロジェクタであるとともに、第２の通信機器１２００からの機能の実行要求がプロジェクタによる画像投影であり、プロジェクタによる画像投影権限が必要であるとする。この場合、識別情報記憶部１３５３において、第２の通信機器１２００の識別情報にプロジェクタによる画像投影権限が対応付いていれば、機能実行部１４６１は、画像投影機能を実行する。
【００９８】
このようにすれば、ユーザの位置に応じて権限を自動で付与することができる。
【００９９】
（変形例２）
上記実施形態において、床に配された通信媒体２に加え、所定の空間内でユーザが所持又は身に着けることができる形式の通信媒体を用意してもよい。
【０１００】
上記実施形態の人体通信は、ユーザの足と通信媒体２が接触することで人体通信が可能となるが、例えば、ユーザが革靴などを履いている場合、人体通信ができない場合もある。このため、上記のような通信媒体を別途用意すれば、革靴などを脱がずに人体通信が可能となる。なお、上記のような通信媒体は、所定の空間外に持ち運びできてしまうと、不正な無線接続ができてしまうので、所定の空間に備え付けておき、所定の空間外に持ち運びできないようにしておくことが望ましい。
【０１０１】
（プログラム）
上記実施形態及び各変形例の制御システム１００、第２の通信機器２００、第１の通信機器３００、及び第３の通信機器４００（以下、「上記実施形態及び各変形例の各装置」と称する）で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１０２】
また、上記実施形態及び各変形例の各装置で実行されるプログラムを、インターネット等のネットワークに接続されたコンピュータ上に格納し、ネットワーク経由でダウンロードさせることにより提供するようにしてもよい。また、上記実施形態及び各変形例の各装置で実行されるプログラムを、インターネット等のネットワーク経由で提供または配布するようにしてもよい。また、上記実施形態及び各変形例の各装置で実行されるプログラムを、ＲＯＭ等に予め組み込んで提供するようにしてもよい。
【０１０３】
上記実施形態及び各変形例の各装置で実行されるプログラムは、上述した各部をコンピュータ上で実現させるためのモジュール構成となっている。実際のハードウェアとしては、例えば、ＣＰＵがＲＯＭからプログラムをＲＡＭ上に読み出して実行することにより、上記各機能部がコンピュータ上で実現されるようになっている。
【符号の説明】
【０１０４】
１  通信システム
２  通信媒体
５  ユーザ
１００、１１００  制御システム
１０１  制御装置
１０３  記憶装置
１０５  外部記憶装置
１０７  表示装置
１０９  入力装置
１１１  第１の通信装置
１１３  第２の通信装置
１５１  確認部
１５３  識別情報取得部
１５５  識別情報判定部
１５７  識別情報記憶部
１５９、１１５９  識別情報送信部
１６１  接続情報記憶部
１６３  接続情報送信部
１６５  切断要求部
２００、１２００  第２の通信機器
２０１  制御装置
２０３  記憶装置
２０５  外部記憶装置
２０７  表示装置
２０９  入力装置
２１１  第１の通信装置
２１３  第３の通信装置
２５１  識別情報記憶部
２５３  応答部
２５５  接続情報受信部
２５７  接続要求部
３００  第１の通信機器
３０１  制御装置
３０３  記憶装置
３０５  外部記憶装置
３０７  表示装置
３０９  入力装置
３１１  第２の通信装置
３１３  第３の通信装置
３５７  接続情報記憶部
３５９  接続制御部
４００−１〜４００−３（４００）、１４００  第３の通信機器
４０１  制御装置
４０３  記憶装置
４０５  外部記憶装置
４０７  表示装置
４０９  入力装置
４１１  第３の通信装置
４５１  接続情報記憶部
４５３  接続要求部
１１６７  検知部
１１６９  権限判定情報記憶部
１１７１  権限判定部
１２５９  機能要求部
１３５１  識別情報受信部
１３５３  識別情報記憶部
１３５５  要求受付部
１４６１  機能実行部
【先行技術文献】
【特許文献】
【０１０５】
【特許文献１】特表２００８−５３７８０７号公報
【図１】
2016100642.tif 000003
【図２】
2016100642.tif 000004
【図３】
2016100642.tif 000005
【図４】
2016100642.tif 000006
【図５】
2016100642.tif 000007
【図６】
2016100642.tif 000008
【図７】
2016100642.tif 000009
【図８】
2016100642.tif 000010
【図９】
2016100642.tif 000011
【図１０】
2016100642.tif 000012
【図１１】
2016100642.tif 000013
【図１２】
2016100642.tif 000014
【図１３】
2016100642.tif 000015
【図１４】
2016100642.tif 000016
【図１５】
2016100642.tif 000017
【図１６】
2016100642.tif 000018